(57)【要約】【課題】  中空糸が多数本束ねられ筒内に収納された中空糸カセットに於て、中空糸に付着した汚れ物質を、隅々まで、確実かつ効率よく除去することができる洗浄装置を提供することを目的とする。【解決手段】  多数本の中空糸１を、一端側２ａが開口状の有底円筒体２内に有する中空糸カセット体３を洗浄する洗浄装置である。そして、円筒体２を回転自在として、かつ、開口状の一端側２ａを斜め下方向へ所定角度α傾斜状に保持するローラ体４と、ローラ体４によって傾斜状にかつ回転自在に保持された中空糸カセット体３に対して一端側２ａから高圧水Ｗを噴射して多数本の中空糸１を振動させる噴射手段５と、を具備する。  また、噴射手段５が、円筒体２の回転軸心Ｌに対して傾斜した噴射ノズル６を備える。【選択図】  図１
2005118644.tif 000002
【特許請求の範囲】
【請求項１】
多数本の中空糸（１）を、一端側（２ａ）が開口状の有底円筒体（２）内に有する中空糸カセット体（３）を洗浄する洗浄装置に於て、
上記円筒体（２）を回転自在として、かつ、上記開口状の一端側（２ａ）を斜め下方向へ所定角度（α）傾斜状に保持するローラ体（４）と、該ローラ体（４）によって傾斜状にかつ回転自在に保持された上記中空糸カセット体（３）に対して上記一端側（２ａ）から高圧水（Ｗ）を噴射して上記多数本の中空糸（１）を振動させる噴射手段（５）と、を具備することを特徴とする洗浄装置。
【請求項２】
上記噴射手段（５）が、上記円筒体（２）の回転軸心（Ｌ）に対して傾斜した噴射ノズル（６）を備え、
該噴射ノズル（６）から噴射された高圧水（Ｗ）が、上記円筒体（２）の内周面（２ｂ）に複数回反射するように構成した請求項１記載の洗浄装置。
【請求項３】
上記所定角度（α）を12°〜45°に設定した請求項１又は２記載の洗浄装置。
【請求項４】
上記ローラ体（４）を回転させる回転駆動手段（Ｍ）を有する請求項１，２又は３記載の洗浄装置。
【発明の詳細な説明】
【技術分野】
【０００１】
本発明は、工業用水や上水等の除濁用中空糸膜モジュール（中空糸カセット体）を、洗浄して再生する洗浄装置に関するものである。
【背景技術】
【０００２】
除濁用中空糸カセット体は、円筒体内に、複数本束ねられた中空糸が収納されて、円筒体内の一端側で、中空糸の端部が接着剤で固定されたものがある（例えば、特許文献１）。そして、この中空糸カセット体に工業用水等の汚水を流すと、図４（ａ）に示すように、中空糸１の約0.01μｍの孔径の微小孔１ａにより、浄水後の水は内孔へ流れると共に、汚水中のヘドロ，スケールや、その他細菌等の汚れ物質27が濾過され、中空糸１の周囲に付着する。
従来の洗浄方法として、図５に示すように、上記の中空糸カセット体の円筒体２の一端側と、他端側とに取付けられた取付部材30，30に於て、（下方側の）他端側の取付部材30の供給口30ａからバブリング（エアー供給）した後、上方側の供給口30ａから洗浄水を流して、図４（ｂ）の拡大図のように逆洗するものがある。
【特許文献１】特開平５−８４４２６号公報
【発明の開示】
【発明が解決しようとする課題】
【０００３】
しかし、中空糸カセット体３内には、中空糸１が、多数本（例えば約7000本）収納されており、円筒体内の下方の中空糸１がかたまり（密度大の）状態になるので、この従来の洗浄方法では、供給されたエアーが、中空糸１全体に対して確実にバブリングされず、中空糸１では、洗浄水が図４（ｂ）の矢印のように流れにくく、汚れ物質が中空糸１の表面から除去されない虞れがある。よって、洗浄水による逆洗の効率が非常に悪い。
【０００４】
そこで、本発明は、中空糸が多数本束ねられ筒内に収納された中空糸膜モジュール（中空糸カセット）に於て、中空糸に付着した汚れ物質を、隅々まで、確実かつ効率よく除去することができる洗浄装置を提供することを目的とする。
【課題を解決するための手段】
【０００５】
上記の目的を達成するために、本発明に係る洗浄装置は、多数本の中空糸を、一端側が開口状の有底円筒体内に有する中空糸カセット体を洗浄する洗浄装置に於て、上記円筒体を回転自在として、かつ、上記開口状の一端側を斜め下方向へ所定角度傾斜状に保持するローラ体と、該ローラ体によって傾斜状にかつ回転自在に保持された上記中空糸カセット体に対して上記一端側から高圧水を噴射して上記多数本の中空糸を振動させる噴射手段と、を具備する。
【０００６】
また、上記噴射手段が、上記円筒体の回転軸心に対して傾斜した噴射ノズルを備え、該噴射ノズルから噴射された高圧水が、上記円筒体の内周面に複数回反射するように構成した。
また、上記所定角度を12°〜45°に設定した。
さらに、上記ローラ体を回転させる回転駆動手段を有する。
【発明の効果】
【０００７】
本発明は、次のような著大な効果を奏する。
噴射した洗浄水を、複数本束ねられた中空糸の細部まで衝突させ強く激しく振動させることができ、付着した汚れ物質が万遍なく除去されるので、中空糸カセット体を効果的に洗浄することができる。
また、中空糸を洗浄した排水が、中空糸廻りに溜まることなく、円筒体内から排出され易いので、洗浄が効率よく進み、かつ、上方側の（奥方の）中空糸にも、高圧水の勢いが弱まることなく噴射させることができるので、汚れ物質を、万遍なくかつ効率よく除去することができる。
【発明を実施するための最良の形態】
【０００８】
以下、実施の形態を示す図面に基づき、本発明を詳説する。
図１，図２，図３に示すように、洗浄装置10は、多数本の中空糸１…を有底円筒体２内に有する除濁用中空糸カセット体３を、洗浄するものである。
【０００９】
具体的に、円筒体２は、一端側２ａが開口状の円筒形状であり、円筒体２の他端側２ｃは、ウレタン樹脂等を円筒体２の内周面２ｂに型作り（モールド）した固定部（壁部）28で封印されている。そして、中空糸カセット体３は、円筒体２の内部に配設され固定部28に端部が固定された中空糸支持パイプ16と、中空糸支持パイプ16廻りに配設され固定部28に端部を固定された多数本の中空糸１…の束と、を備える。中空糸１は高重合度ポリアクリロニトリル等の材質である。
【００１０】
また、洗浄装置10は、円筒体２を回転軸心Ｌ廻りに回転自在とすると共に一端側２ａを斜め下方向へ水平面から所定角度α傾斜状に保持するローラ体４と、中空糸カセット体３内へ円筒体２の一端側２ａから高圧水Ｗを噴射する噴射手段５と、ローラ体４，噴射手段５を上方に保持する支持架台12と、を具備する。
【００１１】
具体的には、支持架台12は、床面等に載置される基礎部14と、水平面と所定角度α傾斜状に基礎部14の上部に付設された傾斜部13と、を備え、傾斜部13の下方側は、基礎部14の後方部14ａよりも突出した延設部13Ａが、同一面状に形成されている。そして、支持架台12の傾斜部13の上面に（図例では）４つのローラ体４…が配設され、少なくとも１つのローラ体４…に、電動モータ等の回転駆動手段Ｍを回転軸等で接続して、回転可能とし、他のローラ体４…は円筒体２の回転を補助するように構成する。あるいは、回転駆動手段Ｍに接続されたローラ体４と、他のローラ体４…を、チェーンと鎖車、ギア噛合の動力伝達機構によって、連結して回転するようにしてもよい。
あるいは、円筒体２にハンドルを付設して、人力で回転可能としてもよい。
また、延設部13Ａ上には、傾斜状の中空糸カセット体３の下端側３ａを斜め下方から受けるストッパ片部材11が、付設される。
【００１２】
噴射手段５は、上記支持架台12の傾斜部13の延設部13Ａ上に付設された支持部材７と、支持部材７に枢支軸９で枢支され上記回転軸心Ｌに対して噴射角度βに変更固定自在に傾斜状に保持される噴射ノズル６と、を備える。噴射角度βは、中空糸１…の本数や汚れ具合に応じて、25°〜45°程度に傾斜して噴射する。この範囲内にて噴射することで、高圧水Ｗが、円筒体２の内周面２ｂに複数回反射し、奥方（上方）の中空糸１…まで万遍なくかつ効率よく振動可能である。
また、支持架台12の傾斜部13の水平面からの所定角度αは、12°乃至45°に設定されるが、約15°〜30°に設定されるのが望ましい。下限値未満であると、中空糸１…を洗浄した汚れ物質27と排水が、円筒体２内から排出されにくく、上限値超過であると、ローラ体４…により安定姿勢に円筒体２を保持しにくい。
【００１３】
また、洗浄装置10は、噴射手段５のノズル６と連結され高圧水Ｗを供給する高圧水発生器８と、高圧水発生器８と連結され（水道水等の）洗浄水を高圧水発生器８へ供給する洗浄水タンク19と、上記中空糸カセット体３から排水された洗浄水が溜められる排水タンク18と、を備える。排水タンク18は、支持架台12の傾斜部13の延設部13Ａの下方に配設される。
さらに、洗浄装置10は、排水タンク18内の洗浄水を外部へ排出するポンプＰと、高圧水発生器８と洗浄水タンク19，ノズル６と高圧水発生器８、を夫々連結する配管15，22と、を備える。配管15は、高圧水Ｗを通水可能なように、強度のある高圧用の材質から成る。25は配管15の途中の噴射手段５近傍に取り付けられた圧力計で、24は配管15の途中の圧力計25近傍に取り付けられた圧力流量調整弁である。
【００１４】
次に、上述の洗浄装置10の使用方法（作用）について説明する。
まず、図示省略するが、前処理工程として、工業用水等を濾過し汚れ物質27（図４参照）が中空糸１…に付着した中空糸カセット体３を、約 1000ppmの次亜塩素酸ナトリウム溶液に数十分間（例えば約20分間）浸漬しておく。なお、ヘドロやスケール等の汚れ物質27の種類により、浸漬される溶液を、塩酸，水酸化ナトリウム溶液等に変更してもよい。
そして、図１〜図３のように、中空糸カセット体３を、円筒体２の一端側２ａが斜め下向き状にストッパ片部材11に掛止し保持されるように、洗浄装置10のローラ体４…の上に載置する。
【００１５】
そして、予め矢印26のように洗浄水タンク19に溜めた洗浄水（水道水）を、配管22から高圧水発生器８に供給し、配管15を通して噴射手段５へ供給する。
そして、回転駆動手段Ｍを始動させローラ体４…を回転させて、中空糸カセット体３を回転させて、中空糸カセット体３の円筒体２内へ、ノズル６から高圧水Ｗを噴射する。
噴射する圧力は、中空糸１…を傷めることなく洗浄できるように、２MPa 〜４MPa の範囲に設定されるのが好ましく、汚れ具合や、洗浄の進み具合を確認しながら、圧力計25で圧力を確認すると共に圧力流量調整弁24で制御する。また、回転駆動手段Ｍの回転速度を調整し、奥方の中空糸１…にも洗浄水が振動させられるように制御する。
【００１６】
高圧水Ｗは、エアーが混ざり混気ジェット水となって、中空糸１…に噴射され、強く中空糸１…を振動させながら、円筒体２の内周面２ｂに複数回反射して、奥方の固定部28附近の中空糸１まで噴射される。汚れ物質27は、前処理工程の次亜塩素酸ナトリウム溶液への浸漬により中空糸１…から落ち易くなっており、強く激しく振動されることで、中空糸１…から剥離（落と）される。
このようにして、短時間で、中空糸１…の外部に付着した汚れ物質27が除去できる。なお、その後、図５に示す従来の逆洗工程を行い、一層確実に再生される。
【００１７】
そして、汚れ物質27の混入した排水（処理水）が、円筒体２内の一端側２ａから流れ出て、矢印20のように、支持架台12の延設部13Ａ上から、排水タンク18へ流れ込む。そして、この排水を、ポンプＰによって、矢印21のように、（図示省略の）処理設備等へ排出する。
【００１８】
以上のように、多数本の中空糸１を、一端側２ａが開口状の有底円筒体２内に有する中空糸カセット体３を洗浄する洗浄装置に於て、円筒体２を回転自在として、かつ、開口状の一端側２ａを斜め下方向へ所定角度α傾けて保持するローラ体４と、ローラ体４によって傾斜状にかつ回転自在に保持された中空糸カセット体３に対して一端側２ａから高圧水Ｗを噴射して多数本の中空糸１を振動させる噴射手段５と、を具備するので、噴射した洗浄水を、複数本束ねられた中空糸１…の細部まで衝突させ強く激しく振動させることができる。
よって、中空糸１…の細部に渡るまで、付着した汚れ物質27が万遍なく除去されるので、中空糸カセット体３を効果的に逆洗することができる。
【００１９】
また、噴射手段５が、円筒体２の回転軸心Ｌに対して傾斜した噴射ノズル６を備え、噴射ノズル６から噴射された高圧水Ｗが、円筒体２の内周面２ｂに複数回反射するように構成されているので、高圧水Ｗは、円筒体２の奥方の中空糸１…にも行き渡り易く、円筒体２内の隅々の中空糸１…に付着した汚れ物質27を、効率よく除去することができる。
【００２０】
また、所定角度αを12°〜45°に設定しているので、中空糸１…を洗浄した排水が、中空糸１…廻りに溜まることなく、円筒体２内から排出され易く洗浄が効率よく進み、かつ、上方側の中空糸１…にも、高圧水Ｗの勢いが弱まることなく噴射させることができ、万遍なくかつ効率よく振動することができる。
【００２１】
また、ローラ体４を回転させる回転駆動手段Ｍを有するので、簡易な装置でありながら、中空糸カセット体３を、容易に回転軸心Ｌ廻りに回転させることができ、万遍なく効率よく中空糸１…の洗浄を行うことができ、至便である。なお、この回転駆動手段Ｍとして、電動モータを使用すれば、汚れ具合に応じて、回転速度を容易に調整することができる上に、手動で回転させる手間を省くことができ、至便である。
【図面の簡単な説明】
【００２２】
【図１】本発明に係る洗浄装置の実施の一形態を示す一部断面側面図である。
【図２】一部断面平面図である。
【図３】図１のＡ−Ａ断面図である。
【図４】中空糸の説明用要部拡大断面図である。
【図５】従来の洗浄方法を示す説明用側面図である。
【符号の説明】
【００２３】
１    中空糸
２    円筒体
２ａ  一端側
２ｂ  内周面
３    中空糸カセット体
４    ローラ体
５    噴射手段
６    ノズル
10    洗浄装置
α    所定角度
Ｌ    回転軸心
Ｍ    回転駆動手段
Ｗ    高圧水
【図１】
2005118644.tif 000003
【図２】
2005118644.tif 000004
【図３】
2005118644.tif 000005
【図４】
2005118644.tif 000006
【図５】
2005118644.tif 000007